(57)【要約】【課題】  周波数誤差が発生した場合に、適正な復調処理を継続しつつ、迅速に周波数誤差を低減させる。【解決手段】  信号レベルを信号レベル検出部１３２が検出し、周波数誤差を周波数誤差検出部が検出する。周波数制御部１３３は、誤差検出結果ＤＦがレベル検出結果ＳＬに対応する同期許容範囲内である場合は、誤差検出結果ＤＦを補正量と決定し、誤差検出結果ＤＦがレベル検出結果ＳＬに対応する同期許容範囲外である場合は、同期許容量範囲内のうちで周波数シフト量の補正後における周波数誤差を最小化できる値を補正量と決定する。また、周波数制御部１３３は、レベル検出結果ＳＬが受信感度レベルよりも低い場合は、誤差検出結果ＤＦを補正量と決定する。引き続き、周波数制御部１３３は、決定された補正量だけ周波数シフト量を補正した周波数を指定した周波数制御信号ＡＦＣを生成してＲＦ処理ユニット１２０に供給する。【選択図】  図３
2009290684.tif 000002
【特許請求の範囲】
【請求項１】
受信信号の品質を検出する受信品質検出手段と；
前記受信信号の周波数シフトを行う周波数シフト手段と；
前記周波数シフトされた受信信号に対する周波数同期を図りつつ、復調処理を行う復調手段と；
前記周波数シフトされた受信信号の周波数の前記復調手段にとっての基準周波数からの周波数誤差を検出する誤差検出手段と；
前記受信品質検出手段による検出結果及び前記誤差検出手段による検出結果に基づいて、前記周波数シフト手段による周波数シフト量の補正量を決定する補正量決定手段と；
前記補正量決定手段による決定結果に基づいて、前記周波数シフト手段による周波数シフト量を制御する周波数シフト量制御手段と；
を備えることを特徴とする受信装置。
【請求項２】
前記補正量決定手段は、前記受信品質検出手段による検出結果が前記復調手段の復調許容値よりも低い場合には、前記誤差検出手段による検出結果を前記補正量と決定する、ことを特徴とする請求項１に記載の受信装置。
【請求項３】
前記復調手段が周波数同期可能な周波数シフト量の範囲である同期許容範囲は、前記受信信号の品質に対応して定まり、
前記補正量決定手段は、
前記誤差検出手段による検出結果が、前記受信品質検出手段による検出結果に対応する前記同期許容範囲内である場合には、前記誤差検出手段による検出結果を前記補正量と決定し、
前記誤差検出手段による検出結果が、前記受信品質検出手段による検出結果に対応する前記同期許容範囲外である場合には、前記同期許容範囲内の値のうちで、前記周波数シフト量の補正後における前記周波数誤差を最小化できる値を前記補正量と決定する、
ことを特徴とする請求項１又は２に記載の受信装置。
【請求項４】
前記受信信号は、放送信号であり、
前記周波数シフト量制御手段は、前記周波数シフト手段に対して、選局のための周波数シフト量の制御を更に行う、
ことを特徴とする請求項１〜３のいずれか一項に記載の受信装置。
【請求項５】
移動体に搭載される、ことを特徴とする請求項１〜４のいずれか一項に記載の受信装置。
【請求項６】
受信信号の周波数シフトを行った後に復調処理を行う受信装置において使用される受信処理方法であって、
前記受信信号の品質を検出する受信品質検出工程と；
前記周波数シフトが行われた受信信号の周波数の前記復調処理における基準周波数からの周波数誤差を検出する誤差検出工程と；
前記受信品質検出工程における検出結果及び前記誤差検出工程における検出結果に基づいて、周波数シフト量の補正量を決定する補正量決定工程と；
前記補正量決定工程において決定された補正量に基づいて、前記周波数シフト量を制御する周波数シフト量制御工程と；
を備えることを特徴とする受信処理方法。
【請求項７】
請求項６に記載の受信処理方法を演算手段に実行させる、ことを特徴とする受信処理プログラム。
【請求項８】
請求項７に記載の受信処理プログラムが、演算手段により読み取り可能に記録されている、ことを特徴とする記録媒体。
【発明の詳細な説明】
【技術分野】
【０００１】
本発明は、受信装置、受信処理方法、受信処理プログラム、及び、当該受信処理プログラムが記録された記録媒体に関する。
【背景技術】
【０００２】
従来から、地上デジタル放送波等を受信して、放送内容を再生する受信装置が広く普及している。こうした受信装置では、選局処理を行うフロントエンドにおいて受信信号を周波数シフトした後に、復調処理を行うことが一般的に行われている。
【０００３】
かかる復調処理においては、フロントエンドにより周波数シフトされた受信信号の周波数と、復調処理を行う復調手段にとっての基準周波数とのずれが生じると（以下、このずれを「周波数誤差」とも記す）、正確に受信信号を復調することができなくなることがある。
【０００４】
こうした弊害を防止するため、上記の周波数誤差を補正するための技術が提案されている（特許文献１参照：以下、「従来例」という）。この従来例の技術は、ＯＦＤＭ（Orthogonal Frequency Division Multiplex）信号の復調処理に際しての技術であり、周波数誤差を検出し、検出された周波数誤差分だけフロントエンドにおける周波数シフト量を補正するようにしている。
【０００５】
【特許文献１】特開平１１−１１２４６０号公報
【発明の開示】
【発明が解決しようとする課題】
【０００６】
上述した従来例の技術では、上記の周波数誤差が大きい場合においても、当該周波数誤差の分だけ周波数シフト量の補正を一挙に行うことになる。このため、周波数誤差が大きい場合には、復調手段が通常有している周波数同期機能の許容範囲を超えた周波数変化が、復調対象信号に発生することになってしまう。かかる事態が発生すると、復調処理の際に周波数同期が外れてしまい、音切れおよび映像切れが発生してしまう。
【０００７】
こうした事態を回避するため、十分に小さい所定の刻みで、徐々に周波数誤差を低減させる方法が考えられる。しかしながら、この方法では、周波数誤差分の補正に長い時間を要することになる。
【０００８】
このため、音切れおよび映像切れを防止するとともに、迅速に周波数誤差分に対応する周波数シフト量の補正を行うことで、利用者に対して快適な視聴を確保することのできる技術が待望されている。かかる要請に応えることが、本発明が解決すべき課題の一つとして挙げられる。
【０００９】
本発明は、上記の事情を鑑みてなされたものであり、周波数誤差が発生した場合に、適正な復調処理を継続しつつ、迅速に周波数誤差を低減させることができる受信装置及び受信処理方法を提供することを目的とする。
【課題を解決するための手段】
【００１０】
請求項１に記載の発明は、受信信号の品質を検出する受信品質検出手段と；前記受信信号の周波数シフトを行う周波数シフト手段と；前記周波数シフトされた受信信号に対する周波数同期を図りつつ、復調処理を行う復調手段と；前記周波数シフトされた受信信号の周波数の前記復調手段にとっての基準周波数からの周波数誤差を検出する誤差検出手段と；前記受信品質検出手段による検出結果及び前記誤差検出手段による検出結果に基づいて、前記周波数シフト手段による周波数シフト量の補正量を決定する補正量決定手段と；前記補正量決定手段による決定結果に基づいて、前記周波数シフト手段による周波数シフト量を制御する周波数シフト量制御手段と；を備えることを特徴とする受信装置である。
【００１１】
請求項６に記載の発明は、受信信号の周波数シフトを行った後に復調処理を行う受信装置において使用される受信処理方法であって、前記受信信号の品質を検出する受信品質検出工程と；前記周波数シフトが行われた受信信号の周波数の前記復調処理における基準周波数からの周波数誤差を検出する誤差検出工程と；前記受信品質検出工程における検出結果及び前記誤差検出工程における検出結果に基づいて、周波数シフト量の補正量を決定する補正量決定工程と；前記補正量決定工程において決定された補正量に基づいて、前記周波数シフト量を制御する周波数シフト量制御工程と；を備えることを特徴とする受信処理方法である。
【００１２】
請求項７に記載の発明は、請求項６に記載の受信処理方法を演算手段に実行させる、ことを特徴とする受信処理プログラムである。
【００１３】
請求項８に記載の発明は、請求項７に記載の受信処理プログラムが、演算手段により読み取り可能に記録されている、ことを特徴とする記録媒体である。
【発明を実施するための最良の形態】
【００１４】
以下、本発明の一実施形態を、図１〜図７を参照して説明する。なお、本実施形態においては、ＭＰＥＧ方式によるコード化が行われた後に、ＯＦＤＭ（Orthogonal Frequency Division Multiplex）変調が施された地上デジタル放送波を受信して処理する受信装置を例示して説明する。また、以下の説明及び図面においては、同一又は同等の要素には同一の符号を付し、重複する説明を省略する。
【００１５】
［構成］
図１には、一実施形態に係る受信装置１００の概略的な構成がブロック図にて示されている。この図１に示されるように、受信装置１００は、アンテナ１１０と、ＲＦ処理ユニット１２０と、再生処理ユニット１３０とを備えている。また、受信装置１００は、操作入力ユニット１４０と、音出力ユニット１５０と、表示ユニット１６０とを備えている。さらに、受信装置１００は、制御ユニット１８０を備えている。
【００１６】
上記のアンテナ１１０は、放送波を受信する。そして、アンテナ１１０による受信結果は、受信信号ＲＦＳとして、ＲＦ処理ユニット１２０へ送られる。
【００１７】
上記のＲＦ処理ユニット１２０は、再生処理ユニット１３０から供給された周波数制御信号ＡＦＣに従って、選択すべきチャンネルの信号を受信信号ＲＦＳから抽出する選局処理を行う。この選局処理の結果は、信号ＩＦＳとして再生処理ユニット１３０へ送られる。
【００１８】
ＲＦ処理ユニット１２０は、図２に示されるように、入力フィルタ２１１と、高周波増幅器（ＲＦ−ＡＭＰ：Radio Frequency-Amplifier）２１２と、バンドパスフィルタ（以下、「ＲＦフィルタ」とも呼ぶ）２１３とを備えている。また、ＲＦ処理ユニット１２０は、ミキサ（混合器）２１４と、中間周波フィルタ（以下、「ＩＦフィルタ」とも呼ぶ）２１５と、中間周波増幅器（ＩＦ−ＡＭＰ：Intermediate Frequency-Amplifier）２１６とを備えている。さらに、ＲＦ処理ユニット１２０は、局部発振回路（ＯＳＣ）２１７を備えている。
【００１９】
上記の入力フィルタ２１１は、アンテナ１１０からの受信信号ＲＦＳの帯域外成分を遮断するバンドパスフィルタである。上記の高周波増幅器２１２は、入力フィルタ２１１を通過した信号を増幅する。
【００２０】
上記のＲＦフィルタ２１３は、高周波増幅器２１２から出力された信号のうち、特定の周波数範囲の信号を選択的に通過させる。上記のミキサ２１４は、ＲＦフィルタ２１３を通過した信号と、局部発振回路２１７から供給された局部発振信号ＣＦとを混合する。上記のＩＦフィルタ２１５は、ミキサ２１４から出力された信号のうち、予め定められた中間周波数範囲の信号を選択して通過させる。
【００２１】
上記の中間周波増幅器２１６は、ＩＦフィルタ２１５を通過した信号を増幅する。この中間周波増幅器２１６による増幅結果は、信号ＩＦＳとして、再生処理ユニット１３０へ向けて出力される。
【００２２】
上記の局部発振回路２１７は、電圧制御等により発振周波数の制御が可能な発振器等を備えて構成される。この局部発振回路２１７は、再生処理ユニット１３０から供給された周波数制御信号ＡＦＣに従って、ＲＦ処理ユニット１２０において選局すべきチャンネルに対応する周波数の局部発振信号ＣＦを生成し、ミキサ２１４に供給する。
【００２３】
図１に戻り、上記の再生処理ユニット１３０は、制御ユニット１８０による制御のもとで、ＲＦ処理ユニット１２０からの信号ＩＦＳを処理して、音出力ユニット１５０へ供給するための音声データＡＤＴ及び表示ユニット１６０へ供給するための映像データＩＤＴを生成する。また、再生処理ユニット１３０は、周波数制御信号ＡＦＣを生成し、ＲＦ処理ユニット１２０に供給する。この再生処理ユニット１３０は、図３に示されるように、ＯＦＤＭ復調部１３１と、受信品質検出手段としての信号レベル検出部１３２と、補正量決定手段及び周波数シフト量制御手段としての周波数制御部１３３とを備えている。また、再生処理ユニット１３０は、誤り訂正処理部１３４と、コンテンツデコード部１３５とを備えている。また、再生処理ユニット１３０は、音声処理部１３６と、映像処理部１３７とを備えている。
【００２４】
上記のＯＦＤＭ復調部１３１は、ＲＦ処理ユニット１２０からの信号ＩＦＳに基づいてＯＦＤＭ復調処理を行う。このＯＦＤＭ復調部１３１は、図４に示されるように、アナログデジタル変換器（ＡＤＣ：Analog to Digital Converter）２１０と、復調手段の一部としての直交化部２２０と、誤差検出手段としての周波数誤差検出部２３０を備えている。また、ＯＦＤＭ復調部１３１は、復調手段の一部としてのＦＦＴ（Fast Fourier Transform）演算部２４０と、同期調整部２５０とを備えている。
【００２５】
上記のアナログデジタル変換器２１０は、アナログ信号である信号ＩＦＳを受ける。そして、アナログデジタル変換器２１０は、信号ＩＦＳをデジタル信号に変換する。この変換結果が、信号ＩＦＤとして直交化部２２０へ送られる。
【００２６】
上記の直交化部２２０は、アナログデジタル変換器２１０からの信号ＩＦＤに基づいて
、互いに直交するベースバンド信号ＢＢＤI，ＢＢＤQを生成する。この直交化部２２０は、図５に示されるように、ミキサ（混合器）２２１I，２２１Qと、ローパスフィルタ（ＬＰＦ）２２２I，２２２Qとを備えている。また、直交化部２２０は、局部発振回路（ＯＳＣ）２２３と、９０°移相部２２４とを備えている。
【００２７】
上記のミキサ２２１Iは、アナログデジタル変換器２１０から出力された信号ＩＦＤと、局部発振回路２２３から供給された発振信号ＣＦＩとを混合する。このミキサ２２１Iで混合された信号は、ＬＰＦ２２２Iへ送られる。
【００２８】
上記のミキサ２２１Qは、アナログデジタル変換器２１０から出力された信号ＩＦＤと、９０°移相部２２４から供給された発振信号ＣＦＱとを混合する。このミキサ２２１Qで混合された信号は、ＬＰＦ２２２Qへ送られる。
【００２９】
上記のＬＰＦ２２２Iは、ミキサ２２１Iから受けた信号のうち、不要な高調波成分を除去する。こうしてＬＰＦ２２２Iを通過した信号は、Ｉ（同相）成分のベースバンド信号ＢＢＤIとして周波数誤差検出部２３０及びＦＦＴ演算部２４０へ送られる。
【００３０】
上記のＬＰＦ２２２Qは、ミキサ２２１Qから受けた信号のうち、不要な高調波成分を除去する。こうしてＬＰＦ２２２Qを通過した信号は、Ｑ（直交）成分のベースバンド信号ＢＢＤQとして周波数誤差検出部２３０及びＦＦＴ演算部２４０へ送られる。
【００３１】
上記の局部発振回路２２３は、電圧制御等により発振周波数の制御が可能な発振器等を備えて構成される。この局部発振回路２２３は、同期調整部２５０から供給された周波数同期信号ＡＦＳに従って、当該信号に対応する周波数の発振信号ＣＦＩを生成し、ミキサ２２１I及び９０°移相部２２４に供給する。
【００３２】
上記の９０°移相部２２４は、局部発振回路２２３からの発振信号ＣＦＩを受ける。そして、９０°移相部２２４は、発振信号ＣＦＩを９０°だけ位相をシフトした発振信号ＣＦＱを生成し、ミキサ２２１Qに供給する。
【００３３】
図４に戻り、上記の周波数誤差検出部２３０は、直交化部２２０からの時間領域信号であるベースバンド信号ＢＢＤI，ＢＢＤQを受ける。そして、周波数誤差検出部２３０は、例えば、１シンボルの遅延メモリを用いて有効シンボル期間の波形とガードインターバル期間の波形との相関を求めることで、周波数誤差を検出する。こうして検出された周波数誤差は、誤差検出結果ＤＦとして周波数制御部１３３及び同期調整部２５０に報告される。
【００３４】
上記のＦＦＴ演算部２４０は、時間領域の信号に対して高速フーリエ変換を行い、各キャリアが担っている情報を抽出する。このＦＦＴ演算部２４０は、直交化部２２０からのベースバンド信号ＢＢＤI，ＢＢＤQを受ける。そして、ＦＦＴ演算部２４０は、１つのＯＦＤＭシンボル長からガードインターバル長分を差し引いた時間幅のウインドウで抜き出した有効シンボルのＯＦＤＭ時間領域信号に対して高速フーリエ変換処理を行う。こうして高速フーリエ変換処理された信号は、周波数領域の信号ＦＦＤとして誤り訂正処理部１３４へ向けて送られる。
【００３５】
上記の同期調整部２５０は、周波数誤差検出部２３０からの誤差検出結果ＤＦを受ける。そして、同期調整部２５０は、誤差検出結果ＤＦに基づいた周波数同期信号ＡＦＳを生成し、当該信号を直交化部２２０の局部発振回路２２３に供給する。
【００３６】
図３に戻り、上記の信号レベル検出部１３２は、信号ＩＦＳのパワーレベルを検出するいわゆるＳメータ機能を有している。このＳメータ機能を利用して検出された信号レベルは、レベル検出結果ＳＬとして周波数制御部１３３に報告される。
【００３７】
上記の周波数制御部１３３は、ＲＦ処理ユニット１２０の局部発振回路２１７に対して指定する周波数を決定する。この周波数制御部１３３は、制御ユニット１８０からの選局指令ＣＳＬを受ける。また、周波数制御部１３３は、信号レベル検出部１３２からのレベル検出結果ＳＬを受けるとともに、ＯＦＤＭ復調部１３１の周波数誤差検出部２３０からの誤差検出結果ＤＦを受ける。
【００３８】
周波数制御部１３３は、周波数制御の処理に際し、まず、選局指令ＣＳＬに従ってＲＦ処理ユニット１２０において選局すべきチャンネルに対応する周波数を求める。次いで、周波数制御部１３３は、レベル検出結果ＳＬ及び誤差検出結果ＤＦに基づいて周波数シフト量の補正量ｆAMを決定する。
【００３９】
補正量ｆAMは、上記のＯＦＤＭ復調部１３１が周波数同期を維持可能な信号ＩＦＳの中心周波数の瞬時的な変化範囲である同期許容範囲が、受信信号の品質に相当する信号レベルに対応して定まることに着目して決定される。本実施形態では、レベル検出結果ＳＬが「ＳＬ≧ＳＬ１」である場合は、同期許容範囲が「（−ｆ１）〜ｆ１」であり、レベル検出結果ＳＬが「ＳＬ１＞ＳＬ≧ＳＬ２」である場合は、同期許容範囲が「（−ｆ２）〜ｆ２（＜ｆ１）」であるものとする。ここで、レベル値ＳＬ２はＯＦＤＭ復調部１３１の復調許容下限のレベル値である受信感度レベルであり、レベル検出結果ＳＬが「ＳＬ＜ＳＬ２」である場合は、信頼できる復調結果が得られないものとする。また、値ｆ１，ｆ２は、正の値である。
【００４０】
なお、レベル値ＳＬ１は、安定した受信処理が可能であるという観点から、実験、シミュレーション、経験等に基づいて、予め定められる。また、レベル値ＳＬ２は、ＯＦＤＭ復調部１３１の復調性能に応じて定まる。また、値ｆ１，ｆ２は、ＯＦＤＭ復調部１３１の復調の性能に対応して、レベル値ＳＬ１，ＳＬ２との関係で予め定められる。
【００４１】
補正量ｆAMを決定するに際して、周波数制御部１３３は、誤差検出結果ＤＦがレベル検出結果ＳＬに対応する同期許容範囲内である場合には、誤差検出結果ＤＦをそのまま補正量ｆAMと決定する。すなわち、図６に示されるように、誤差検出結果ＤＦがｆ０＜｜ＤＦ｜≦ｆ２である場合に、レベル検出結果がＳＬ≧ＳＬ１，ＳＬ１＞ＳＬ≧ＳＬ２であれば、誤差検出結果ＤＦを補正量ｆAMと決定する。また、誤差検出結果ＤＦがｆ２＜｜ＤＦ｜≦ｆ１である場合に、レベル検出結果がＳＬ≧ＳＬ１であれば、検出結果ＤＦを補正量ｆAMと決定する。
【００４２】
ここで、値ｆ０（＞０）は、誤差検出結果ＤＦが実質的に周波数誤差が無いとみなすことができる範囲にあるかどうかを判定するための基準値であり、実験、シミュレーション、経験等に基づいて、予め定められる。このため、誤差検出結果ＤＦが「｜ＤＦ｜≦ｆ０」である場合には、周波数シフト量の補正を行われないようになっている。
【００４３】
一方、周波数制御部１３３は、誤差検出結果ＤＦがレベル検出結果ＳＬに対応する同期許容範囲外である場合には、同期許容量範囲内のうちで、周波数シフト量の補正後における周波数誤差を最小化できる値を補正量ｆAMと決定する。すなわち、誤差検出結果ＤＦがｆ２＜｜ＤＦ｜≦ｆ１である場合に、レベル検出結果がＳＬ１＞ＳＬ≧ＳＬ２であれば補正量ｆAMの絶対値はｆ２と決定される。また、誤差検出結果ＤＦがｆ１＜｜ＤＦ｜である場合に、レベル検出結果がＳＬ≧ＳＬ１であれば補正量ｆAMの絶対値はｆ１と決定され、レベル検出結果がＳＬ１＞ＳＬ≧ＳＬ２であれば補正量ｆAMの絶対値はｆ２と決定される。なお、このときの補正量ｆAMの正負は、誤差検出結果ＤＦの正負に対応して定まる。
【００４４】
また、周波数制御部１３３は、レベル検出結果ＳＬが受信感度レベルであるレベル値ＳＬ２よりも低い場合には、一律に誤差検出結果ＤＦを補正量ｆAMと決定する。
【００４５】
こうして補正量ｆAMが決定されると、周波数制御部１３３は、当該補正量ｆAMに基づき局部発振回路２１７に対して指定する周波数を補正する。かかる補正は、局部発振回路２１７に対する指定周波数の現在値から補正量ｆAMを差し引くことにより行われる。そして、周波数制御部１３３は、補正後の周波数を指定した周波数制御信号ＡＦＣを生成し、当該信号を局部発振回路２１７に供給する。
【００４６】
図３に戻り、上記の誤り訂正処理部１３４は、ＦＦＴ演算部２４０からの信号ＦＦＤを受ける。そして、誤り訂正処理部１３４は、検波結果のビタビ復号、リードソロモン復号による誤り訂正を行う。この後、誤り訂正処理部１３４は、誤り訂正の結果を、信号ＤＭＤとしてコンテンツデコード部１３５へ向けて出力する。
【００４７】
上記のコンテンツデコード部１３５は、誤り訂正処理部１３４からの信号ＤＭＤを受ける。そして、コンテンツデコード部１３５は、信号ＤＭＤのデコードを行い、音声に関するデコード結果を、復調音声データＤＡＤとして、音声処理部１３６へ送る。また、コンテンツデコード部１３５は、映像に関するデコード結果を、復調映像データＤＩＤとして、映像処理部１３７へ送る。
【００４８】
上記の音声処理部１３６は、復調音声データＤＡＤに基づいて音声データＡＤＴを生成する。生成された音声データＡＤＴは、音出力ユニット１５０へ送られる。
【００４９】
上記の映像処理部１３７は、復調映像データＤＩＤに基づいて映像データＩＤＴを生成する。生成された映像データＩＤＴは、表示ユニット１６０へ送られる。
【００５０】
図１に戻り、上記の操作入力ユニット１４０は、受信装置１００の本体部に設けられたキー部、及び／又はキー部を備えるリモート入力装置等により構成される。ここで、本体部に設けられたキー部としては、表示ユニット１６０に設けられたタッチパネルを用いることができる。また、キー部を有する構成に代えて、又は併用して音声認識技術を利用して音声にて入力する構成を採用することもできる。
【００５１】
この操作入力ユニット１４０を利用者が操作することにより、受信装置１００の動作内容の設定が行われる。例えば、選局指定等の利用者による入力が、操作入力ユニット１４０を利用して行われる。こうした入力内容は、操作入力データＩＰＤとして、操作入力ユニット１４０から制御ユニット１８０へ向けて送られる。
【００５２】
上記の音出力ユニット１５０は、（ｉ）再生処理ユニット１３０から受信した音声データＡＤＴをアナログ信号に変換するＤＡ（Digital to Analogue）変換器と、（ii）当該ＤＡ変換器から出力されたアナログ信号を増幅する増幅器と、（iii）増幅されたアナログ信号を音声に変換するスピーカとを備えて構成されている。この音出力ユニット１５０は、選局されている再生チャンネルの放送波に対応する放送音声を再生出力する。
【００５３】
上記の表示ユニット１６０は、例えば、（ｉ）液晶パネル、有機ＥＬ（Electro Luminescence）パネル、ＰＤＰ（Plasma Display Panel）等の表示デバイスと、（ii）再生処理ユニット１３０から受信した映像データＩＤＴに従って、当該表示デバイスに画像を表示させる表示制御回路とを備えている。この表示ユニット１６０は、選局されている再生チャンネルに対応する放送画像を再生表示する。
【００５４】
上記の制御ユニット１８０は、操作入力ユニット１４０に入力された再生チャンネル指定が操作入力データＩＰＤとして通知されると、当該再生チャンネル指定に従って再生チャンネルの選局指令ＣＳＬを生成して、再生処理ユニット１３０へ向けて出力する。
【００５５】
［動作］
次に、上記のように構成された受信装置１００の動作について、再生処理ユニット１３０における周波数制御処理に主に着目して説明する。
【００５６】
前提として、受信装置１００では、操作入力ユニット１４０からの選局指定に従って再生チャンネルの設定が行われ、ＲＦ処理ユニット１２０において周波数制御部１３３から供給された周波数制御信号ＡＦＣにより選局処理が行われているものとする。
【００５７】
このような設定のもとにおいて、周波数制御処理が、受信装置１００の動作中には、常時実行されている。この周波数制御処理は、図７に示されるように、まず、ステップＳ１１において、周波数制御部１３３が、信号レベル検出部１３２からレベル検出結果ＳＬを取得するとともに、周波数誤差検出部２３０から誤差検出結果ＤＦを取得する。
【００５８】
引き続き、ステップＳ１２において、周波数制御部１３３が、誤差検出結果ＤＦの絶対値が値ｆ０以下か否かを判定する。この判定の結果が肯定的であった場合（ステップＳ１２：Ｙ）には、処理はステップＳ１１へ戻る。
【００５９】
一方、ステップＳ１２における判定の結果が否定的であった場合（ステップＳ１２：Ｎ）には、処理はステップＳ１３へ進む。
【００６０】
ステップＳ１３では、周波数制御部１３３が、誤差検出結果ＤＦの絶対値が値ｆ２以上か否かを判定する。この判定の結果が否定的であった場合（ステップＳ１３：Ｎ）、すなわち、誤差検出結果ＤＦがレベル検出結果ＳＬに対応する同期許容範囲内である場合には、処理はステップＳ１４へ進む。ステップＳ１４では、周波数制御部１３３が、誤差検出結果ＤＦを補正量ｆAMと決定する。この後、処理はステップＳ２１へ進む。
【００６１】
一方、ステップＳ１３における判定の結果が肯定的であった場合（ステップＳ１３：Ｙ）には、処理はステップＳ１５へ進む。
【００６２】
ステップＳ１５では、周波数制御部１３３が、レベル検出結果ＳＬがレベル値ＳＬ２より低いか否かを判定する。この判定の結果が肯定的であった場合（ステップＳ１５：Ｙ）には、処理はステップＳ１４へ進み、補正量ｆAMが誤差検出結果ＤＦと決定された後に、処理はステップＳ２１へ進む。一方、ステップＳ１５における判定の結果が否定的であった場合（ステップＳ１５：Ｎ）には、処理はステップＳ１６へ進む。
【００６３】
ステップＳ１６では、周波数制御部１３３が、レベル検出結果ＳＬがレベル値ＳＬ１以上か否かを判定する。この判定の結果が否定的であった場合（ステップＳ１６：Ｎ）には、処理はステップＳ１７へ進む。ステップＳ１７では、周波数制御部１３３が、誤差検出結果ＤＦが正であるときは補正量ｆAM＝ｆ２と決定し、誤差検出結果ＤＦが負であるときは補正量ｆAM＝−ｆ２と決定する。この後、処理はステップＳ２１へ進む。
【００６４】
一方、ステップＳ１６における判定の結果が肯定的であった場合（ステップＳ１６：Ｙ）には、処理はステップＳ１８へ進む。
【００６５】
ステップＳ１８では、周波数制御部１３３が、誤差検出結果ＤＦの絶対値が値ｆ１以上か否かを判定する。この判定の結果が否定的であった場合（ステップＳ１８：Ｎ）、すなわち、誤差検出結果ＤＦがレベル検出結果ＳＬに対応する同期許容範囲内である場合には、処理はステップＳ２０へ進む。ステップＳ２０では、上述したステップＳ１４と同様に、周波数制御部１３３が、誤差検出結果ＤＦを補正量ｆAMと決定する。この後、処理はステップＳ２１へ進む。
【００６６】
一方、ステップＳ１８における判定の結果が肯定的であった場合（ステップＳ１８：Ｙ）には、処理はステップＳ１９へ進む。ステップＳ１９では、周波数制御部１３３が、誤差検出結果ＤＦが正であるときは補正量ｆAM＝ｆ１と決定し、誤差検出結果ＤＦが負であるときは補正量ｆAM＝−ｆ１と決定する。この後、処理はステップＳ２１へ進む。
【００６７】
ステップＳ２１では、周波数制御部１３３が、決定した補正量ｆAMに基づき、ＲＦ処理ユニット１２０に対して指定する周波数を補正する。この補正は、上述したように、局部発振回路２１７に対する指定周波数の現在値から補正量ｆAMを差し引くことにより行われる。そして、周波数制御部１３３は、補正後の周波数を指定した周波数制御信号ＡＦＣを生成し、当該信号を局部発振回路２１７に供給する。この後、処理はステップＳ１１へ戻る。
【００６８】
上記のステップＳ１１〜Ｓ２１の処理を実行することにより、周波数制御の処理が行われる。
【００６９】
こうして周波数制御部１３３から供給された周波数制御信号ＡＦＣに従い、ＲＦ処理ユニット１２０において信号ＩＦＳが補正される。補正された信号ＩＦＳは、ＲＦ処理ユニット１２０からＯＦＤＭ復調部１３１へ送られ、ＯＦＤＭ復調処理が行われる。そして、ＯＦＤＭ復調処理が施された信号ＦＦＤが誤り訂正処理部１３４へ送られる。誤り訂正処理部１３４では、信号ＦＦＤに対して誤り訂正処理を行い、信号ＤＭＤとしてコンテンツデコード部１３５へ送る。
【００７０】
信号ＤＭＤを受けたコンテンツデコード部１３５は、ＭＰＥＧ方式でコード化された信号ＤＭＤをデコードし、復調音声データＤＡＤ及び復調映像データＤＩＤとして、音声処理部１３６及び映像処理部１３７へ向けて送る。
【００７１】
復調音声データＤＡＤを受けた音声処理部１３６は、音声データＡＤＴを生成し、音出力ユニット１５０へ送る。この結果、受信信号ＲＦＳに基づく希望局からの放送音声が、音出力ユニット１５０のスピーカから出力される。
【００７２】
一方、復調映像データＤＩＤを受けた映像処理部１３７は、映像データＩＤＴを生成し、表示ユニット１６０へ送る。この結果、受信信号ＲＦＳに基づく希望局からの放送映像が、表示ユニット１６０の表示デバイスに表示される。
【００７３】
以上説明したように、本実施形態では、信号レベルを信号レベル検出部１３２がレベル検出結果ＳＬとして検出し、周波数誤差を周波数誤差検出部２３０が誤差検出結果ＤＦとして検出する。そして、周波数制御部１３３が、信号レベル検出部１３２からのレベル検出結果ＳＬ、及び、周波数誤差検出部２３０からの誤差検出結果ＤＦに基づいて、周波数シフト量の補正量ｆAMを決定する。かかる補正量ｆAMを決定するに際して、周波数制御部１３３は、誤差検出結果ＤＦがレベル検出結果ＳＬに対応する同期許容範囲内である場合には、誤差検出結果ＤＦを補正量ｆAMと決定する。一方、周波数制御部１３３は、誤差検出結果ＤＦがレベル検出結果ＳＬに対応する同期許容範囲外である場合には、同期許容量範囲内のうちで、周波数シフト量の補正後における周波数誤差を最小化できる値を補正量ｆAMと決定する。また、周波数制御部１３３は、レベル検出結果ＳＬがレベル値ＳＬ２よりも低い場合には、誤差検出結果ＤＦを補正量ｆAMと決定する。
【００７４】
こうして補正量ｆAMが決定されると、周波数制御部１３３は、当該補正量ｆAMに基づき局部発振回路２１７に対して指定する周波数を補正する。そして、周波数制御部１３３は、補正後の周波数を指定した周波数制御信号ＡＦＣを生成し、当該制御信号を局部発振回路２１７に供給する。
【００７５】
したがって、本実施形態によれば、周波数同期処理を行うに際して、安定した受信処理を行うことができる。
【００７６】
［実施形態の変形］
本発明は、上記の実施形態に限定されるものではなく、様々な変形が可能である。
【００７７】
例えば、上記の実施形態では、受信装置１００は、図７に示されるフローチャートに沿って動作を行うものとした。これに対して、受信装置１００は、図８に示されるフローチャートに沿って動作を行うようにしてもよい。以下、図８のフローチャートに沿った動作について、説明する。
【００７８】
前提として、実施形態における動作と同様に、受信装置１００では、操作入力ユニット１４０からの選局指定に従って再生チャンネルの設定が行われ、ＲＦ処理ユニット１２０において周波数制御部１３３から供給された周波数制御信号ＡＦＣにより選局処理が行われているものとする。
【００７９】
このような設定のもとにおいて、周波数制御処理が、受信装置１００の動作中には、常時実行されている。この周波数制御処理は、まず、ステップＳ３１において、実施形態におけるステップＳ１１と同様に、周波数制御部１３３が、信号レベル検出部１３２からレベル検出結果ＳＬを取得するとともに、周波数誤差検出部２３０から誤差検出結果ＤＦを取得する。
【００８０】
引き続き、ステップＳ３２において、実施形態におけるステップＳ１２と同様に、周波数制御部１３３が、誤差検出結果ＤＦの絶対値が値ｆ０以下か否かを判定する。この判定の結果が肯定的であった場合（ステップＳ３２：Ｙ）には、処理はステップＳ３１へ戻る。
【００８１】
一方、ステップＳ３２における判定の結果が否定的であった場合（ステップＳ３２：Ｎ）には、処理はステップＳ３３へ進む。
【００８２】
ステップＳ３３では、周波数制御部１３３が、レベル検出結果ＳＬがレベル値ＳＬ２より低いか否かを判定する。この判定の結果が肯定的であった場合（ステップＳ３３：Ｙ）には、処理はステップＳ３４へ進む。ステップＳ３４では、周波数制御部１３３が、誤差検出結果ＤＦを補正量ｆAMと決定する。この後、処理はステップＳ４０へ進む。
【００８３】
一方、ステップＳ３３における判定の結果が否定的であった場合（ステップＳ３３：Ｎ）には、処理はステップＳ３５へ進む。
【００８４】
ステップＳ３５では、周波数制御部１３３が、レベル検出結果ＳＬがレベル値ＳＬ１以上か否かを判定する。この判定の結果が肯定的であった場合（ステップＳ３５：Ｙ）には、処理はステップＳ３６へ進む。ステップＳ３６では、周波数制御部１３３が、比較基準値ｆCを値ｆ１に設定する。この後、処理はステップＳ３８へ進む。
【００８５】
一方、ステップＳ３５における判定の結果が否定的であった場合（ステップＳ３５：Ｎ）には、処理はステップＳ３７へ進む。ステップＳ３７では、周波数制御部１３３が、比較基準値ｆCを値ｆ２に設定する。この後、処理はステップＳ３８へ進む。
【００８６】
引き続き、ステップＳ３８では、周波数制御部１３３が、誤差検出結果ＤＦの絶対値が比較基準値ｆC以上か否かを判定する。この判定の結果が否定的であった場合（ステップＳ３８：Ｎ）、すなわち、誤差検出結果ＤＦがレベル検出結果ＳＬに対応する同期許容範囲内である場合には、処理はステップＳ３４へ進む。ステップＳ３４では、上述したように、周波数制御部１３３が、誤差検出結果ＤＦを補正量ｆAMと決定する。この後、処理はステップＳ４０へ進む。
【００８７】
一方、ステップＳ３８における判定の結果が肯定的であった場合（ステップＳ３８：Ｙ）には、処理はステップＳ３９へ進む。ステップＳ３９では、周波数制御部１３３が、誤差検出結果ＤＦが正であるときは補正量ｆAM＝ｆCと決定し、誤差検出結果ＤＦが負であるときは補正量ｆAM＝−ｆCと決定する。この後、処理はステップＳ４０へ進む。
【００８８】
ステップＳ４０では、実施形態におけるステップＳ２１と同様に、周波数制御部１３３が、決定した補正量ｆAMに基づき、ＲＦ処理ユニット１２０に対して指定する周波数を補正する。そして、周波数制御部１３３は、補正後の周波数を指定した周波数制御信号ＡＦＣを生成し、当該信号を局部発振回路２１７に供給する。この後、処理はステップＳ３１へ戻る。
【００８９】
上記の動作を実行することにより、周波数制御の処理が行われる。以上が、実施形態の変形における受信装置１００の動作の説明である。
【００９０】
また、上記の実施形態では、信号レベルに基づき、受信信号の品質を評価した。これに対して、受信信号の品質の評価は、例えば、受信品質検出手段としての誤り訂正処理部１３４から取得可能なビットエラー率や、ＳＮＲ（Signal to Noise Ratio）等に基づいて行うようにしてもよいし、これらの複数の受信信号の品質の複数の指標を任意に組み合わせて受信信号の品質を評価するようにしてもよい。
【００９１】
また、上記の実施形態では、受信感度レベル（ＳＬ２）よりも大きい所定値であるレベル値ＳＬ１を設け、信号レベルＳＬ≧ＳＬ１，ＳＬ１＞ＳＬ≧ＳＬ２ごとの同期許容範囲ｆ１，ｆ２に基づき補正量を決定した。これに対して、受信感度レベルよりも大きい所定値を２個以上設け、受信感度レベル及び当該所定値により分割される信号レベルごとの同期許容範囲に基づき補正量を決定するようにしてもよい。また、受信感度レベルよりも大きい所定値を特に設けず、受信レベルに依存した同期許容範囲を予め定められたアルゴリズムに従って求め、当該同期許容範囲に基づき補正量を決定するようにしてもよい。
【００９２】
また、上記の実施形態の受信装置は、ＲＦ信号を中間周波数帯（以下、「ＩＦ帯」と記す）へ変換した後に、ＩＦ帯の周波数の信号をベースバンド信号に変換するスーパヘテロダイン方式を採用したが、ＲＦ信号を直接ベースバンド信号に変換するダイレクトコンバージョン方式を採用するようにしてもよい。
【００９３】
また、上記の実施形態では、地上デジタル放送波を受信する受信装置に本発明を適用したが、地上デジタル放送波以外の放送波を受信する受信装置に、本発明を適用することができる。
【００９４】
また、本発明は、放送波を受信する受信装置に限らず、データ通信のための受信装置に適用することができる。
【００９５】
また、放送信号や通信信号の伝送媒体は、無線、有線のいずれであってもよいことは勿論である。
【００９６】
また、上記の実施形態の受信装置は、家庭内等に固定的に設置されるものであってもよいし、車両等の移動体に搭載されるものであってもよい。
【００９７】
なお、上記の実施形態における制御ユニット１８０を中央処理装置（ＣＰＵ：Central Processing Unit）、デジタル信号処理装置（ＤＳＰ：Digital Signal Processor）等を備えた演算手段としてのコンピュータとして構成し、予め用意されたプログラムを当該コンピュータで実行することにより、上記の実施形態における処理の一部又は全部を実行するようにしてもよい。このプログラムはハードディスク、ＣＤ−ＲＯＭ、ＤＶＤ等のコンピュータで読み取り可能な記録媒体に記録され、当該コンピュータによって記録媒体から読み出されて実行される。また、このプログラムは、ＣＤ−ＲＯＭ、ＤＶＤ等の可搬型記録媒体に記録された形態で取得されるようにしてもよいし、インターネットなどのネットワークを介した配送の形態で取得されるようにしてもよい。
【図面の簡単な説明】
【００９８】
【図１】本発明の一実施形態に係る受信装置の構成を概略的に示すブロック図である。
【図２】図１のＲＦ処理ユニットの構成を示すブロック図である。
【図３】図１の再生処理ユニットの構成を示すブロック図である。
【図４】図３のＯＦＤＭ復調部の構成を示すブロック図である。
【図５】図４の直交化部の構成を示すブロック図である。
【図６】周波数シフト量の補正量の決定方法を説明するための図である。
【図７】図１の装置による周波数制御処理を説明するためのフローチャートである。
【図８】図１の装置による周波数制御処理を説明するためのフローチャートの変形例である。
【符号の説明】
【００９９】
１００  …  受信装置
１３２  …  信号レベル検出部（受信品質検出手段）
１３３  …  周波数制御部（補正量決定手段及び周波数シフト量制御手段）
１３４  …  誤り訂正処理部（復調手段の一部、受信品質検出手段）
２１７  …  局部発振回路（周波数シフト手段）
２２０  …  直交化部（復調手段の一部）
２３０  …  周波数誤差検出部（誤差検出手段）
２４０  …  ＦＦＴ演算部（復調手段の一部）
【図１】
2009290684.tif 000003
【図２】
2009290684.tif 000004
【図３】
2009290684.tif 000005
【図４】
2009290684.tif 000006
【図５】
2009290684.tif 000007
【図６】
2009290684.tif 000008
【図７】
2009290684.tif 000009
【図８】
2009290684.tif 000010